(57)【要約】【課題】意匠及び光光拡散特性による表現を多彩に発揮できるようにする。【解決手段】断面形状がほぼコ字型をなすとともに、互いに対峙する側壁１７２の内側面に光源が発する光を拡散させる光拡散部１７４を形成した合成樹脂製のレンズ１７を遊技機表面に設けた遊技機の発光装飾装置である。光拡散部１７４を、レンズ１７の開口方向へ平行な直線状の凹凸形状とするとともに、側壁１７２の内側面に形成した段差部１７３を境にして、レンズ１７の開口寄り側に形成される開口寄り光拡散部１７５と奥側寄りに形成される奥寄り光拡散部１７６とに分断し、開口寄り光拡散部１７５の凸の頂部を、奥寄り光拡散部１７６の凹の底部よりも低くする。  【選択図】  図５
2008237428.tif 000002
【特許請求の範囲】
【請求項１】
断面形状がほぼコ字型をなすとともに、互いに対峙する側壁の内側面に光源が発する光を拡散させる光拡散部を成型した合成樹脂製のレンズを遊技機表面に設けた遊技機の発光装飾装置において、
前記光拡散部を、前記レンズの開口方向へ平行な直線状の凹凸形状とするとともに、前記側壁の内側面に形成した段差部を境にして、前記レンズの開口寄り側に形成される開口寄り光拡散部と奥側寄りに形成される奥寄り光拡散部とに分断し、前記開口寄り光拡散部の凸の頂部を、前記奥寄り光拡散部の凹の底部よりも低くしたことを特徴とする遊技機の発光装飾装置。
【請求項２】
前記開口寄り光拡散部の凹凸間隔と前記奥寄り光拡散部の凹凸間隔とを、互いに異ならせたことを特徴とする請求項１記載の遊技機の発光装飾装置。
【請求項３】
前記段差部を、前記レンズにおける前記側壁の内側面に沿って、曲線又は／及び折れ線を含む形状として設けたことを特徴とする請求項１又は２記載の遊技機の発光装飾装置。
【発明の詳細な説明】
【技術分野】
【０００１】
本発明は、遊技機表面に設けられ、光源の光を拡散させるレンズを備えた遊技機の発光装飾装置に関する。
【背景技術】
【０００２】
遊技機としてのスロットマシンにおいては、外周面に図柄等が描かれた回転リール等を収容した筐体の前面に、回転リールの図柄を透視可能な透視窓を設けた前扉が設けられている。前扉の表面には、遊技状況に応じて、光源が点滅、点灯することにより、遊技者に対して視覚的な刺激を与えて遊技の興趣を高めるようにした発光装飾装置が設けられる（例えば、特許文献１参照）。
【０００３】
発光装飾装置は、内部に設けられた光源と、光源が発する光を屈折、拡散して様々な方向から光を確認できるように成型された合成樹脂製のレンズを含んで構成される。
【０００４】
レンズは、射出成型等で成型されるとともに、その内側面には、細かい凹凸形状の光拡散部、いわゆるレンズカットが成型され、このレンズカットにより光源から発せられる光を屈折、拡散して様々な方向から光を確認できるようにしている。レンズカットは、数ミリ幅のかまぼこ形状、半球、四角錐等の凹凸が連続的に形成されるもので、それぞれの形状により光の屈折、光拡散特性が異なり、光演出の使用目的に合わせて決定される。また、光拡散特性だけでなく、遊技機の意匠上においても重要な意味を有する。
【特許文献１】特開平１０−２１６２９９号公報
【発明の開示】
【発明が解決しようとする課題】
【０００５】
上述のような遊技機の光装飾装置においては、光拡散特性及び意匠上の観点から多彩な凹凸形状のレンズカットを選択できるのが望ましい。しかし、レンズを合成樹脂で成型する射出成型の技術的な制約から、レンズカットは、射出成型の金型が抜けない形状、いわゆるアンダーカットにならないようにした金型の抜き方向と平行な縦溝の形状に限定される。そのため、レンズカットの形状が単純なものとなり、意匠上の表現方法が限定され、また、光拡散特性においても変化が少なく単純なものとなる。
【０００６】
本発明は、従来の問題に鑑みてなされたもので、意匠及び光拡散特性による表現を多彩に発揮できるようにした遊技機の光装飾装置を提供することを目的とする。
【課題を解決するための手段】
【０００７】
本発明によると、上記課題は、次のようにして解決される。
（１）断面形状がほぼコ字型をなすとともに、互いに対峙する側壁の内側面に光源が発する光を拡散させる光拡散部を成型した合成樹脂製のレンズを遊技機表面に設けた遊技機の発光装飾装置において、前記光拡散部を、前記レンズの開口方向へ平行な直線状の凹凸形状とするとともに、前記側壁の内側面に形成した段差部を境にして、前記レンズの開口寄り側に形成される開口寄り光拡散部と奥側寄りに形成される奥寄り光拡散部とに分断し、前記開口寄り光拡散部の凸の頂部を、前記奥寄り光拡散部の凹の底部よりも低くする。
【０００８】
（２）上記(１)項において、前記開口寄り光拡散部の凹凸間隔と前記奥寄り光拡散部の凹凸間隔とを、互いに異ならせる。
【０００９】
（３）上記(１)または(２)項において、前記段差部を、前記レンズにおける前記側壁の内側面に沿って、曲線又は／及び折れ線を含む形状として設ける。
【発明の効果】
【００１０】
本発明によれば、次のような効果が奏せられる。
請求項１記載の発明によると、レンズにおける側壁の内側面に形成した段差部を境にして、開口寄り光拡散部と奥寄り光拡散部とに分断し、開口寄り光拡散部の凸の頂部を、奥寄り光拡散部の凹の底部よりも低くしたことにより、樹脂成型技術に制約されることなく、開口寄り光拡散部と奥寄り光拡散部との形状を互いに異ならせることができ、意匠及び光拡散特性による表現を多彩に発揮することができる。
【００１１】
請求項２記載の発明によると、開口寄り光拡散部と奥寄り光拡散部との凹凸間隔の違いによって、意匠及び光拡散特性による表現をより多彩なものとすることができる。
【００１２】
請求項３記載の発明によると、段差部形状により意匠及び光拡散特性による表現をより多彩なものとすることができる。
【発明を実施するための最良の形態】
【００１３】
図１は、本発明を適用した遊技機の斜視図、図２は、装飾ユニットの正面図、図３は、図２におけるIII−III線拡大縦断面図、図４は、装飾ユニットの分解斜視図である。なお、以下の説明においては、図１における左斜め下方を「前方」とし、右斜め上方を「後方」とする。
【００１４】
遊技機（スロットマシン）１は、外周面に複数種類の図柄が描かれた左、中、右３個の回転リール５及びその他の各種遊技機器を収容した筐体２と、筐体２の前面に開閉可能に設けられた合成樹脂製の前扉３を備え、遊技媒体をなす円板状のメダル（コインも含む）を、前扉３の右側に設けたメダル投入部４に投入することによって所定のゲームが行われるものである。
【００１５】
遊技機１の遊技は、遊技者がメダルをメダル投入部４に投入するか、または、前扉３の前面に設けられたベットボタン８により予め投入したメダル枚数を電気的に記憶されたクレジット状態のメダルの賭数を設定した後、スタートレバー９を操作して、全ての回転リール５を回転させることによって開始される。
【００１６】
回転リール５が回転して所定時間が経過した後、前扉３の前面に設けられた３個のストップボタン１０を順次操作して、各回転リール５の回転を停止させ、停止した３個の回転リール５の図柄の組み合わせにより、入賞の有無、及び賞の大小に応じたメダルの配当枚数が確定され、入賞した場合には、予め定めた入賞枚数のメダルが前扉３の下部に設けたメダル受皿３１に払い出される。
【００１７】
前扉３における前面のほぼ中央には、各回転リール５の図柄を３こまずつ視認可能な透視窓６１を有する透明アクリル樹脂製のフロントパネル６が嵌め込まれ、また、同じく上部には、前扉３の一部を形成する装飾ユニット７が設けられている。
【００１８】
図４に示すように、装飾ユニット７は、前扉３の前面上部に固定される合成樹脂製の飾り枠１１と、飾り枠１１の内側に嵌め込み固定される透過性のフロントパネル１１ａと、飾り枠１１の上部に設けられ、遊技者に対して視覚的な刺激を与えて遊技の興趣を高めるようにするセンター発光装飾装置１２及び左右のサイド発光装飾装置１３、１３が設けられている。
【００１９】
センター発光装飾装置１２は、ＬＥＤ等の単一色の光源１４と、飾り枠１１の前面中央に固定され、内部に配置される光源１４が発する光を屈折、拡散して様々な方向から光を確認できるようにした着色合成樹脂製のセンターレンズ１６を含む。
【００２０】
サイド発光装飾装置１３は、ＬＥＤ等のフルカラーの光源１５と、飾り枠１１の表面に固定され、内部に配置される光源１５が発する光を屈折、拡散して様々な方向から光を確認できるようにした透明合成樹脂製のサイドレンズ１７とを含む。
【００２１】
次に、図５〜図８に基づいて、本発明を発光装飾装置１３に適用した実施形態について説明する。なお、図５〜図７においては、説明の便宜上、上方を「前方」とし、下方を「後方」とする。
サイドレンズ１７は、射出成型により樹脂成型されるとともに、主に図５に示すように、前壁１７１及び互いに対峙する両側壁１７２、１７２を有し、縦断面形状が前側が閉塞し、かつ後側が開口したコ字型をなしている。サイドレンズ１７における両側壁１７２は、射出成型の金型からの樹脂成型品の抜きを容易にするため、開口幅Ｗが奥側（前壁１７１に近い側）から開口側（直線で示す金型分割ライン１８に近い側）へ向けて漸次広くなるようにした抜きテーパ形状をなしている。
【００２２】
サイドレンズ１７における側壁１７２の内側面には、凹凸形状の光拡散部１７４、いわゆるレンズカット、及び樹脂成型品の抜き方向Ａに対して交差する方向へ延出した直線状の段差部１７３が形成されている。
【００２３】
光拡散部１７４は、内部に配置される光源１５が発する光を拡散させるためのもので、樹脂成型品の抜き方向Ａに対して平行で、かつ断面形状がほぼ蒲鉾形状（図８参照）に形成されるとともに、段差部１７３を境にして、開口寄り側の内側面１７２ａに形成される開口寄り光拡散部１７５と、奥側寄りの内側面１７２ｂに形成される奥寄り光拡散部１７６とに分断される。
【００２４】
開口寄り光拡散部１７５及び奥寄り拡散部１７６は、主に図８に示すように、互いに意匠表現及び光拡散特性が異なるように、例えば、凹凸の高低差、間隔が異なるように形成される。また、開口寄り光拡散部１７５における凸の頂部１７５ａは、奥寄り光拡散部１７６における凹の底部１７６ａよりも低くなるように形成される。
【００２５】
本実施形態においては、一例として、開口寄り光拡散部１７５が形成される部分の側壁の厚さｔ１は２．５ｍｍ、奥寄り光拡散部１７５が形成される部分の側壁の厚さｔ２は３ｍｍ、開口寄り光拡散部１７５の凹凸の高低差は０．４ｍｍ及びその間隔は２ｍｍ、また、奥寄り光拡散部１７６の凹凸の高低差は０．２ｍｍ及びその間隔は１ｍｍとする。
【００２６】
上述により、合成樹脂における射出成型時のアンダーカットを防止して、サイドレンズ１７における側壁１７２の内側面に、意匠表現及び光拡散特性が異なる複数種類の光拡散部１７４を形成することができ、意匠及び光拡散特性による表現を多彩なものとすることができる。
【００２７】
以上、本発明の実施形態について説明したが、本発明の要旨を逸脱しない範囲内で、本実施形態に対して、次のような種々の変形や変更を施すことが可能である。（ｉ）遊技機１を、遊技媒体がメダル（コインを含む）とするスロットマシンに代えて、遊技媒体がパチンコ玉であるパチンコ機、スロットマシン、及びその他の遊技機とする。
（ii）図９に示すように、段差部１７３を、曲線１７３ａ及び折れ線１７３ｂを含む形状として、側壁１７２の内側面に沿って形成する。これにより多彩な意匠表現を行うことが可能となる。
（iii）サイドレンズ１７における側壁１７２の外側面にも段差部１７３ｃを設け、開口寄り側の側壁１７２の厚さと奥側寄りの側壁１７２の厚さを同じにする。
（iv）本発明に係わる光拡散部１７４を、センターレンズ１６又はその他のレンズに適用する。
（ｖ）光拡散部１７４を、樹脂成型品の抜き方向Ａに対して２箇所以上分断し、その分断位置を境にして、互いに異なる意匠及び光拡散特性が異なる３種類以上の光拡散部を設ける。
【図面の簡単な説明】
【００２８】
【図１】本発明を適用した遊技機の斜視図である。
【図２】装飾ユニットの正面図である。
【図３】図２におけるIII−III線拡大縦断面図である。
【図４】装飾ユニットの分解斜視図である。
【図５】サイドレンズの断面図である。
【図６】図５におけるVI−VI線断面図である。
【図７】サイドレンズの要部の拡大断面図である。
【図８】図６におけるVIII−VIII線拡大断面図である。
【図９】他の実施例におけるサイドレンズの断面図である。
【図１０】さらに他の実施例におけるサイドレンズの断面図である。
【符号の説明】
【００２９】
１  遊技機（スロットマシン）
２  筐体
３  前扉
４  メダル投入部
５  回転リール
６  フロントパネル
７  装飾ユニット
８  ベットボタン
９  スタートレバー
１０  ストップボタン
１１  飾り枠
１１ａ  フロントパネル
１２  センター発光装飾装置
１３  サイド発光装飾装置
１４、１５  光源
１６  センターレンズ
１７  サイドレンズ
１８  金型分割ライン
３１  メダル受皿
６１  透視窓
１７１  前壁
１７２  側壁
１７２ａ、１７２ｂ  内側面
１７３  段差部
１７３ａ  曲線
１７３ｂ  折れ線
１７３ｃ  段差部
１７４  光拡散部
１７５  開口寄り光拡散部
１７５ａ  頂部
１７６  奥寄り光拡散部
１７６ａ  底部
Ａ  抜き方向
Ｗ  開口幅
【図１】
2008237428.tif 000003
【図２】
2008237428.tif 000004
【図３】
2008237428.tif 000005
【図４】
2008237428.tif 000006
【図５】
2008237428.tif 000007
【図６】
2008237428.tif 000008
【図７】
2008237428.tif 000009
【図８】
2008237428.tif 000010
【図９】
2008237428.tif 000011
【図１０】
2008237428.tif 000012